(57)【要約】【課題】通行者がコンテンツの内容を認知するのに十分な視聴時間を確保し且つ通行者以外の者による視認性低下を防止する。【解決手段】通行者の速度ｖｗの絶対値を求め、速度ｖｗを含む速度領域の上限速度を選択し、上限速度に対応づけられた表示装置の数（表示装置数Ｎ）を読み出す（Ｓ２５）。通行者の速度ｖｗが正の値なら（Ｓ２７：正）、表示コンテンツリストにおいて、表示装置１０１側から表示装置数Ｎと同数の表示装置ＩＤを選択し、当該表示装置ＩＤに対応づけられたコンテンツＩＤの全てを、表示装置１０１の表示装置ＩＤに対応づけられたコンテンツＩＤと同じにする（Ｓ２９）。【選択図】図７
2012173338.tif 000002
【特許請求の範囲】
【請求項１】
一方端の表示装置から他方端の表示装置までの表示装置で構成される複数の表示装置と、
前記複数の表示装置の前を通行する通行者を撮影するビデオカメラと、
前記複数の表示装置にコンテンツを表示させるコンテンツ表示制御装置とを備え、
前記コンテンツ表示制御装置は、
予めコンテンツが記憶されるコンテンツ記憶部と、
予め通行者についての複数の速度のそれぞれに当該速度に応じた表示装置の数を対応づけて記憶する表示装置数記憶部と、
前記ビデオカメラで撮影された画像に基づいて通行者の速度を測定する通行者検出部と、
前記表示装置数記憶部から前記測定された速度に対応する数を読み出し、当該数と同数の前記表示装置に表示されるコンテンツを互いに同じにするコンテンツ表示制御部と
を備えることを特徴とするコンテンツ表示システム。
【請求項２】
前記速度は前記一方端の表示装置から前記他方端の表示装置への方向の速度であり、
前記コンテンツ表示制御部は、
前記速度が正の値の際は、前記一方端の表示装置から前記読み出された数と同数の表示装置までの表示装置に表示されるコンテンツを互いに同じにする一方、
前記速度が負の値の際は、前記他方端の表示装置から前記読み出された数と同数の表示装置までの表示装置に表示されるコンテンツを互いに同じにする
ことを特徴とするコンテンツ表示システム。
【請求項３】
一方端の表示装置から他方端の表示装置までの表示装置で構成される複数の表示装置と、
前記複数の表示装置の前を通行する通行者を撮影するビデオカメラと、
前記複数の表示装置にコンテンツを表示させるコンテンツ表示制御装置とを備えるコンテンツ表示システムの動作方法であって、
前記コンテンツ表示制御装置は、
予めコンテンツが記憶されるコンテンツ記憶部と、
予め通行者についての複数の速度のそれぞれに当該速度に応じた表示装置の数を対応づけて記憶する表示装置数記憶部とを備え、
前記コンテンツ表示システムの動作方法は、
前記コンテンツ表示制御装置の通行者検出部が、前記ビデオカメラで撮影された画像に基づいて通行者の速度を測定する工程と、
前記コンテンツ表示制御装置のコンテンツ表示制御部が、前記表示装置数記憶部から前記測定された速度に対応する数を読み出し、当該数と同数の前記表示装置に表示されるコンテンツを互いに同じにする工程と
を備えることを特徴とするコンテンツ表示システムの動作方法。
【請求項４】
前記速度は前記一方端の表示装置から前記他方端の表示装置への方向の速度であり、
前記コンテンツ表示制御部は、
前記速度が正の値の際は、前記一方端の表示装置から前記読み出された数と同数の表示装置までの表示装置に表示されるコンテンツを互いに同じにする一方、
前記速度が負の値の際は、前記他方端の表示装置から前記読み出された数と同数の表示装置までの表示装置に表示されるコンテンツを互いに同じにする
ことを特徴とするコンテンツ表示システムの動作方法。
【請求項５】
請求項１または２記載のコンテンツ表示システムの前記コンテンツ表示制御装置としてコンピュータを機能させるためのコンピュータプログラム。
【発明の詳細な説明】
【技術分野】
【０００１】
本発明は、通行者がコンテンツの内容を認知するのに十分な視聴時間を確保でき且つ通行者以外の者による視認性低下を防止できるコンテンツ表示システムおよびその動作方法に関するものである。
【背景技術】
【０００２】
従来において、コンテンツの表示位置を最適化するコンテンツ表示装置が開示されている（特許文献１参照）。コンテンツの表示位置と並び考慮すべき要素として、視聴者がコンテンツを視聴時間が挙げられるが、特許文献１では、コンテンツの表示位置が最適化されることで、通行者がコンテンツを認知するタイミングが早まり、その結果として充分な視聴時間が確保できるとしている。
【０００３】
しかし、例えば、通行者が速く歩いていると、短時間でコンテンツの表示位置を通過してしまう場合があり、充分な視聴時間は確保されない。
【０００４】
充分な視聴時間を確保する方法として、コンテンツの表示位置を通行者に合わせて移動させる方法が考えられるが、この場合、コンテンツの表示位置が移動するため、立ち止まっている者にとっては、コンテンツ視聴の際の注視点が固定されず、視認性が低下するといった問題が生じる。
【０００５】
よって、通行者がコンテンツの内容を認知するのに十分な視聴時間を確保できるとともに、通行者以外の者によるコンテンツの視認性を低下させない手法が必要となる。
【先行技術文献】
【特許文献】
【０００６】
【特許文献１】特開２００７−１３３３０４号公報
【発明の概要】
【発明が解決しようとする課題】
【０００７】
本発明は、上記の課題に鑑みてなされたものであり、その目的とするところは、通行者がコンテンツの内容を認知するのに十分な視聴時間を確保でき且つ通行者以外の者による視認性低下を防止できるコンテンツ表示システムおよびその動作方法を提供することにある。
【課題を解決するための手段】
【０００８】
上記の課題を解決するために、第１の本発明は、一方端の表示装置から他方端の表示装置までの表示装置で構成される複数の表示装置と、前記複数の表示装置の前を通行する通行者を撮影するビデオカメラと、前記複数の表示装置にコンテンツを表示させるコンテンツ表示制御装置とを備え、前記コンテンツ表示制御装置は、予めコンテンツが記憶されるコンテンツ記憶部と、予め通行者についての複数の速度のそれぞれに当該速度に応じた表示装置の数を対応づけて記憶する表示装置数記憶部と、前記ビデオカメラで撮影された画像に基づいて通行者の速度を測定する通行者検出部と、前記表示装置数記憶部から前記測定された速度に対応する数を読み出し、当該数と同数の前記表示装置に表示されるコンテンツを互いに同じにするコンテンツ表示制御部とを備えることを特徴とするコンテンツ表示システムをもって解決手段とする。
【０００９】
第２の本発明は、一方端の表示装置から他方端の表示装置までの表示装置で構成される複数の表示装置と、前記複数の表示装置の前を通行する通行者を撮影するビデオカメラと、前記複数の表示装置にコンテンツを表示させるコンテンツ表示制御装置とを備えるコンテンツ表示システムの動作方法であって、前記コンテンツ表示制御装置は、予めコンテンツが記憶されるコンテンツ記憶部と、予め通行者についての複数の速度のそれぞれに当該速度に応じた表示装置の数を対応づけて記憶する表示装置数記憶部とを備え、前記コンテンツ表示システムの動作方法は、前記コンテンツ表示制御装置の通行者検出部が、前記ビデオカメラで撮影された画像に基づいて通行者の速度を測定する工程と、前記コンテンツ表示制御装置のコンテンツ表示制御部が、前記表示装置数記憶部から前記測定された速度に対応する数を読み出し、当該数と同数の前記表示装置に表示されるコンテンツを互いに同じにする工程とを備えることを特徴とするコンテンツ表示システムの動作方法をもって解決手段とする。
【発明の効果】
【００１０】
本発明によれば、予め通行者についての複数の速度のそれぞれに当該速度に応じた表示装置の数を対応づけて記憶する表示装置数記憶部を設け、通行者の速度を測定し、表示装置数記憶部から、測定された速度に対応する数を読み出し、当該数と同数の表示装置に表示されるコンテンツを互いに同じにすることで、当該コンテンツの内容を認知するのに十分な視聴時間を確保でき、また、コンテンツの表示位置は移動しないので、通行者以外の者によるコンテンツの視認性の低下を防止することができる。
【図面の簡単な説明】
【００１１】
【図１】本実施の形態に係るコンテンツ表示システムの概略構成を示す図である。
【図２】コンテンツ表示制御装置３の概略構成を示すブロック図である。
【図３】表示装置数記憶部３５の一例を示す図である。
【図４】コンテンツリスト記憶部３６の一例を示す図である。
【図５】通行者検出部３１の動作を示すフローチャートである。
【図６】差分画像Ｐｄの一例を模式的に示す図である。
【図７】コンテンツ表示制御部３８の動作を示すフローチャートである。
【図８】表示コンテンツリスト記憶部３７に記憶された当初の表示コンテンツリストの一例を示す図である。
【図９】ステップＳ２９の後の表示コンテンツリスト記憶部３７における表示コンテンツリストの一例を示す図である。
【図１０】ステップＳ３１の後の表示コンテンツリスト記憶部３７における表示コンテンツリストの一例を示す図である。
【図１１】通行者が表示装置１０１側から撮像空間Ａに進入した場合におけるコンテンツの変化の様子を示す図である。
【図１２】通行者が表示装置１１０側から撮像空間Ａに進入した場合におけるコンテンツの変化の様子を示す図である。
【発明を実施するための形態】
【００１２】
以下、本発明の実施の形態について図面を参照して説明する。
【００１３】
図１は、本実施の形態に係るコンテンツ表示システムの概略構成を示す図である。
【００１４】
コンテンツ表示システムは、一方端の表示装置１０１から他方端の表示装置１１０までで構成される複数の表示装置１０１、１０２、１０３、１０４、１０５、１０６、１０７、１０８、１０９、１１０（図では一部の表示装置を省略）と、複数の表示装置１０１、１０２、…の前を通行する通行者を撮影するビデオカメラ２と、複数の表示装置１０１、１０２、…にコンテンツを表示させるコンテンツ表示制御装置３とを備える。
【００１５】
ここでは、コンテンツが映像であることを前提として説明を行う。以下の説明において、コンテンツの表示とはコンテンツを再生させることである。
【００１６】
表示装置１０１、１０２、…は、例えば、歩道脇のショーウィンドウなどに配置される。ビデオカメラ２は、表示装置１０１、１０２、…の前の空間（以下、撮像空間Ａ）を例えば上方から撮影するように配置される。ビデオカメラ２とコンテンツ表示制御装置３はケーブルで接続され、コンテンツ表示制御装置３と各表示装置はケーブルで接続される。
【００１７】
図２は、コンテンツ表示制御装置３の概略構成を示すブロック図である。
【００１８】
コンテンツ表示制御装置３は、ビデオカメラ２で撮影された画像に基づいて通行者の有無と速度を検出する通行者検出部３１と、通行者の有無を示すフラグを記憶する通行者フラグ記憶部３２と、通行者の速度が記憶される通行者速度記憶部３３と、複数のコンテンツを記憶しているコンテンツ記憶部３４と、通行者の速度に対応づけて表示装置の数を記憶している表示装置数記憶部３５と、コンテンツ記憶部３４に記憶されたコンテンツに関するコンテンツリストを記憶しているコンテンツリスト記憶部３６と、表示すべきコンテンツに関する表示コンテンツリストが記憶される表示コンテンツリスト記憶部３７と、表示コンテンツリストにしたがってコンテンツを表示させるコンテンツ表示制御部３８とを備える。
【００１９】
各表示装置１０１、１０２、１０３、１０４、１０５、１０６、１０７、１０８、１０９、１１０（図では一部の表示装置を省略）には、識別情報（以下、表示装置ＩＤ）「Ｄ１」、「Ｄ２」、「Ｄ３」、「Ｄ４」、「Ｄ５」、「Ｄ６」、「Ｄ７」、「Ｄ８」、「Ｄ９」、「Ｄ１０」（図では一部の表示装置ＩＤを省略）がこの順で付与されている。
【００２０】
通行者検出部３１は、通行者のいない撮像空間Ａの画像（以下、画像Ｐ０）を予め記憶している。
【００２１】
図３は、表示装置数記憶部３５の一例を示す図である。
【００２２】
表示装置数記憶部３５は、予め想定された通行者の速度の領域（例えば、０〜２０キロメートル／時）を複数の速度領域に分割した場合の各速度領域の上限速度ｖ１、ｖ２、…を記憶しており、上限速度のそれぞれに表示装置の数を対応づけて記憶しいる。また、上限速度が高くなるほど表示装置の数が多くなっている。
【００２３】
図４は、コンテンツリスト記憶部３６の一例を示す図である。
【００２４】
コンテンツリスト記憶部３６は、コンテンツ記憶部３４に記憶された各コンテンツを示す識別情報（以下、コンテンツＩＤ）「１」、「２」、…からなるコンテンツリストを記憶している。
【００２５】
図５は、通行者検出部３１の動作を示すフローチャートである。
【００２６】
通行者検出部３１は、まず、ビデオカメラ２から逐次に送信される画像と予め記憶した画像Ｐ０との差分画像Ｐｄを逐次に生成する（Ｓ１）。
【００２７】
図６は、差分画像Ｐｄの一例を模式的に示す図である。
【００２８】
差分画像Ｐｄは、通行者が表示装置１０１、…、１１０の前にいる場合には、当該差分画像Ｐｄの周辺部とは異なる画像部分Ｗを含むことがある。つまり、画像部分Ｗは通行者を撮像した部分なのである。
【００２９】
図５に戻り、通行者検出部３１は、差分画像Ｐｄに画像部分Ｗのような部分があるか否か、つまり、通行者の有無を判定する（Ｓ３）。
【００３０】
通行者検出部３１は、通行者が存在する（Ｓ３：ＹＥＳ）と判定したなら、通行者フラグ記憶部３２のフラグを真とする（Ｓ５）。
【００３１】
次に、通行者検出部３１は、複数の差分画像Ｐｄを用いて、通行者の速度ｖｗを測定して通行者速度記憶部３３に記憶させ（Ｓ７）、ステップＳ１に戻る。
【００３２】
図６において、画像部分Ｗの重心Ｗ０は、複数の差分画像Ｐｄを通して観察すると、通行者の速度で移動するので、通行者検出部３１は、重心Ｗ０について、表示装置１０１から表示装置１１０の方向の速度成分つまり速度ｖｗを測定する（図５：Ｓ７）。ここで、速度ｖｗが正の値なら、通行者は表示装置１０１側から撮像空間Ａに進入し、速度ｖｗが負の値なら、通行者は表示装置１１０側から撮像空間Ａに進入したことになる
図５に戻り、通行者検出部３１は、通行者が存在しない（Ｓ３：ＮＯ）と判定したなら、フラグの真偽を判定し（Ｓ９）、フラグを真と判定したならフラグを偽とし（Ｓ１１）、ステップＳ１に戻る。通行者検出部３１は、フラグを偽と判定したなら、ステップＳ１に戻る。
【００３３】
図７は、コンテンツ表示制御部３８の動作を示すフローチャートである。
【００３４】
コンテンツ表示制御部３８は、コンテンツリスト記憶部３６のコンテンツリストから１０のコンテンツＩＤをランダムに読み出し、当該コンテンツＩＤを含む表示コンテンツリストを生成して表示コンテンツリスト記憶部３７に記憶させる（Ｓ２１）。
【００３５】
図８は、表示コンテンツリスト記憶部３７に記憶された表示コンテンツリスト（当初の表示コンテンツリスト）の一例を示す図である。
【００３６】
コンテンツ表示制御部３８は、ランダムに読み出した１０のコンテンツＩＤを１０の表示装置に１対１で割り当て、全ての表示装置ＩＤのそれぞれに対し、当該表示装置ＩＤの表示装置に割り当てたコンテンツのコンテンツＩＤを対応づけてなる表示コンテンツリストを生成する（図７：Ｓ２１）。
【００３７】
図７に戻り、次に、コンテンツ表示制御部３８は、表示コンテンツリスト記憶部３７から表示コンテンツリストを読み出し、当該表示コンテンツリスト内の各表示装置ＩＤにつき、当該表示装置ＩＤを割り当てられた表示装置が、当該表示装置ＩＤに対応づけられたコンテンツＩＤのコンテンツを表示していなければ、該当のコンテンツをコンテンツ記憶部３４から読み出し、当該表示装置に当該コンテンツを送信し、当該コンテンツの繰り返し表示を開始させる（Ｓ２２）。
【００３８】
次に、コンテンツ表示制御部３８は、通行者フラグ記憶部３２からフラグを読み出し、フラグの真偽を判定し（Ｓ２３）、フラグを偽（通行者が撮像空間Ａにいない）と判定したなら、ステップＳ２３に戻る。
【００３９】
一方、コンテンツ表示制御部３８は、フラグを真（通行者が撮像空間Ａに進入した）と判定したなら、通行者速度記憶部３３から速度ｖｗを読み出し、速度ｖｗの絶対値を求め、上記の０〜２０キロメートル／時と例示した領域から当該速度ｖｗの絶対値を含む速度領域を選択し、表示装置数記憶部３５において、当該速度領域の上限速度を選択し、当該上限速度に対応づけられた表示装置の数（以下、表示装置数Ｎという）を読み出す（Ｓ２５）。
【００４０】
次に、コンテンツ表示制御部３８は、読み出した速度ｖｗが正の値か負の値かを判定する（Ｓ２７）。つまり、コンテンツ表示制御部３８は、通行者が表示装置１０１側から撮像空間Ａに進入したか、表示装置１１０側から撮像空間Ａに進入したかを判定する。
【００４１】
コンテンツ表示制御部３８は、速度ｖｗが正の値なら（Ｓ２７：正）、表示コンテンツリスト記憶部３７に記憶された表示コンテンツリストにおいて、表示装置１０１側から表示装置数Ｎと同数の表示装置ＩＤを選択し、当該表示装置ＩＤに対応づけられたコンテンツＩＤの全てを、表示装置１０１の表示装置ＩＤに対応づけられたコンテンツＩＤと同じにする（Ｓ２９）。
【００４２】
図９は、ステップＳ２９の後の表示コンテンツリスト記憶部３７における表示コンテンツリストの一例を示す図である。
【００４３】
図９は、表示装置数Ｎが「４」である場合において、各表示装置１０２〜１０４の表示装置ＩＤ「Ｄ２」〜「Ｄ４」に対応づけられたコンテンツＩＤが、表示装置１０１の表示装置ＩＤ「Ｄ１」に対応づけられたコンテンツＩＤ「３９」と同じに変更された様子を示している。
【００４４】
図７に戻り、コンテンツ表示制御部３８は、速度ｖｗが負の値なら（Ｓ２７：負）、表示コンテンツリスト記憶部３７に記憶された表示コンテンツリストにおいて、表示装置１１０側から表示装置数Ｎと同数の表示装置ＩＤを選択し、当該表示装置ＩＤに対応づけられたコンテンツＩＤの全てを、表示装置１１０の表示装置ＩＤに対応づけられたコンテンツＩＤと同じにする（Ｓ３１）。
【００４５】
図１０は、ステップＳ３１の後の表示コンテンツリスト記憶部３７における表示コンテンツリストの一例を示す図である。
【００４６】
図１０は、表示装置数Ｎが「６」である場合において、各表示装置１０５〜１０９の表示装置ＩＤ「Ｄ５」〜「Ｄ９」に対応づけられたコンテンツＩＤが、表示装置１１０の表示装置ＩＤ「Ｄ１０」に対応づけられたコンテンツＩＤ「４４」と同じに変更された様子を示している。
【００４７】
図７に戻り、コンテンツ表示制御部３８は、表示コンテンツリスト記憶部３７の表示コンテンツリストを変更したなら、当該表示コンテンツリスト内の各表示装置ＩＤにつき、当該表示装置ＩＤを割り当てられた表示装置が、当該表示装置ＩＤに対応づけられたコンテンツＩＤのコンテンツを表示していなければ、該当のコンテンツをコンテンツ記憶部３４から読み出し、当該表示装置に当該コンテンツを送信し、当該コンテンツの繰り返し表示を開始させる（Ｓ３２）。
【００４８】
次に、コンテンツ表示制御部３８は、通行者フラグ記憶部３２からフラグを読み出し、フラグの真偽を判定し（Ｓ３３）、フラグを真（通行者が撮像空間Ａから出ていない）と判定したなら、ステップＳ３３に戻り、フラグを偽（通行者が撮像空間Ａから出た）と判定したなら、ステップＳ２１に戻る。
【００４９】
図１１は、通行者が表示装置１０１側から撮像空間Ａに進入した場合におけるコンテンツの変化の様子を示す図である。
【００５０】
まず、各表示装置１０１、…、１１０には、例えば、図８に示す表示コンテンツリストにより、コンテンツＩＤ「３９、９、３３、２４、３０、１０、６、１１、２８、４４」に対応するコンテンツがこの順で割り当てられ、各表示装置は、当該表示装置に割り当てられたコンテンツがコンテンツ表示制御部３８から送信されるので、当該コンテンツを繰り返し表示する。
【００５１】
これらのコンテンツが繰り返し表示されているときに、通行者が表示装置１０１側から撮像空間Ａに進入すると、例えば、図９に示すように表示コンテンツリストが変更され、これにより、表示装置１０２〜１０４で表示されているコンテンツＩＤ「９、３３、２４」のコンテンツが、表示装置１０１で表示されているコンテンツＩＤ「３９」のコンテンツに変更されて表示開始される。
【００５２】
例えば通行者が歩いているなら、コンテンツＩＤ「３９」のコンテンツの内容を認知するころには、表示装置１０１から表示装置１０４までの距離を進む。これらの表示装置は、コンテンツＩＤ「３９」のコンテンツを表示しているので、当該コンテンツの内容を認知するのに十分な視聴時間を確保することができる。また、コンテンツの表示位置は移動しないので、通行者以外の者によるコンテンツの視認性の低下を防止することができる。
【００５３】
図１２は、通行者が表示装置１１０側から撮像空間Ａに進入した場合におけるコンテンツの変化の様子を示す図である。
【００５４】
まず、各表示装置１０１、…、１１０には、例えば、図８に示す表示コンテンツリストにより、コンテンツＩＤ「３９、９、３３、２４、３０、１０、６、１１、２８、４４」に対応するコンテンツがこの順で割り当てられ、各表示装置は、当該表示装置に割り当てられたコンテンツがコンテンツ表示制御部３８から送信されるので、当該コンテンツを繰り返し表示する。
【００５５】
これらのコンテンツが繰り返し表示されているときに、通行者が表示装置１１０側から撮像空間Ａに進入すると、例えば、図１０に示すように表示コンテンツリストが変更され、これにより、表示装置１０５〜１０９で表示されているコンテンツＩＤ「３０、１０、、６、１１、２８」のコンテンツが、表示装置１１０で表示されているコンテンツＩＤ「４４」のコンテンツに変更されて表示開始される。
【００５６】
例えば通行者が小走りしているなら、コンテンツＩＤ「４４」のコンテンツの内容を認知するころには、表示装置１１０から表示装置１０５までの比較的長い距離を進む。これらの表示装置は、コンテンツＩＤ「４４」のコンテンツを表示しているので、当該コンテンツの内容を認知するのに十分な視聴時間を確保することができる。また、コンテンツの表示位置は移動しないので、通行者以外の者によるコンテンツの視認性の低下を防止することができる。
【００５７】
以上説明したように、本実施の形態に係るコンテンツ表示システムによれば、一方端の表示装置１０１から他方端の表示装置１１０までの表示装置で構成される複数の表示装置と、複数の表示装置の前を通行する通行者を撮影するビデオカメラ２と、複数の表示装置にコンテンツを表示させるコンテンツ表示制御装置３とを備え、コンテンツ表示制御装置３は、予めコンテンツが記憶されるコンテンツ記憶部３４と、予め通行者についての複数の速度のそれぞれに当該速度に応じた表示装置の数を対応づけて記憶する表示装置数記憶部３５と、ビデオカメラ２で撮影された画像に基づいて通行者の速度ｖｗを測定する通行者検出部３１と、表示装置数記憶部３５から速度ｖｗに対応する数（表示装置数Ｎ）を読み出し、当該数（Ｎ）と同数の表示装置に表示されるコンテンツを互いに同じにするコンテンツ表示制御部３８とを備えるので、当該コンテンツの内容を認知するのに十分な視聴時間を確保することができ、コンテンツの表示位置は移動しないので、通行者以外の者によるコンテンツの視認性の低下を防止することができる。
【００５８】
また、速度ｖｗは一方端の表示装置１０１から他方端の表示装置１１０への方向の速度であり、コンテンツ表示制御部３８は、速度ｖｗが正の値の際は（Ｓ２７：正）、一方端の表示装置１０１から数（Ｎ）と同数の表示装置までの表示装置に表示されるコンテンツを互いに同じにする（Ｓ２９、Ｓ３２）一方、速度が負の値の際は（Ｓ２７：負）、他方端の表示装置１１０から数（Ｎ）と同数の表示装置までの表示装置に表示されるコンテンツを互いに同じにする（Ｓ３１、Ｓ３２）ので、通行者が表示装置１０１から表示装置１１０への方向に進んでいる場合であっても、通行者が表示装置１１０から表示装置１０１への方向に進んでいる場合であっても、十分な視聴時間を確保することができ、通行者以外の者によるコンテンツの視認性の低下を防止することができる。
【００５９】
なお、本実施の形態では、表示装置の数を１０としたが、表示装置の数は任意に定めてよい。
【００６０】
また、本実施の形態では、コンテンツを映像としたが、コンテンツは静止画（画像）やウェブページなどでもよく、任意に定めてよい。
【００６１】
また、本実施の形態に係るコンテンツ表示システムのコンテンツ表示制御装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６２】
１０１、１０２、１０３、１０４、１０５、１０６、１０７、１０８、１０９、１１０…表示装置
２…ビデオカメラ
３…コンテンツ表示制御装置
３１…通行者検出部
３２…通行者フラグ記憶部
３３…通行者速度記憶部
３４…コンテンツ記憶部
３５…表示装置数記憶部
３６…コンテンツリスト記憶部
３７…表示コンテンツリスト記憶部
３８…コンテンツ表示制御部
【図１】
2012173338.tif 000003
【図２】
2012173338.tif 000004
【図３】
2012173338.tif 000005
【図４】
2012173338.tif 000006
【図５】
2012173338.tif 000007
【図６】
2012173338.tif 000008
【図７】
2012173338.tif 000009
【図８】
2012173338.tif 000010
【図９】
2012173338.tif 000011
【図１０】
2012173338.tif 000012
【図１１】
2012173338.tif 000013
【図１２】
2012173338.tif 000014